(57)【特許請求の範囲】
【請求項１】
一端部に採尿口を、他端部に排尿口を備えたロート状の採尿器と、貯尿用容器の開口部を着脱可能に装着する装着口を備え、前記貯尿容器をその開口部を上方にして所定の姿勢に保持する保持台と、一端部が前記採尿器の排尿口に接続され、他端部が前記保持台の装着口に接続されるホースとを備え、
前記保持台は前記装着口の外囲を囲って、前記採尿器の採尿口よりも大きい開口面積を持つ筒体を備え、この筒体内に前記採尿器の採尿口を嵌脱可能に嵌挿せしめるようにしたことを特徴とする携帯型の便器。
【請求項２】
前記筒体は前記装着口内に臨ませて、前記装着口に装着される貯尿用容器内に連通する空気抜き孔が開口されていることを特徴とする請求項１に記載の携帯型の便器。
【請求項３】
前記保持台は前記筒体の外周面に貯尿用容器の蓋を保持するホルダを備えたことを特徴とする請求項１に記載の携帯型の便器。
【請求項４】
前記採尿器は採尿口の外周面の全周にわたって、前記採尿口を前記筒体内に内嵌した際、前記筒体の開口部周縁に当接する鍔縁及び筒体の開口部内周面に摺接する摺接縁を備えることを特徴とする請求項１に記載の携帯型の便器。
【発明の詳細な説明】
【０００１】
【発明の属する技術分野】
本発明は寝たきりの病人、高齢者等の介護用として、その他自動車内等において主に子供が使用するのに適した携帯型の便器に関するものである。
【０００２】
【従来の技術】
介護用の便器としては主にしびん、又はベッドに備え付けの便器等が一般的に用いられているが、しびんは被介護人がベッドに寝ている場合には介護人がその都度、しびんを被介護人に渡し、使用後はこれを受け取らねばならないから人手を要し、また備え付け便器等はコストが高いという問題があった。
一方交通渋滞中の道路においては休憩所等へ着くのに長い時間を要することが多く、子供の場合には尿意をもよおした際に、長い時間辛抱し続けることが困難なため、道路わきに自動車を止めて道端等にて用を足す等の光景がまま見受けられる。しかしこのような行為はそれ自体、見苦しく、道徳的には勿論、また環境保護の面からみても問題がある外、夜間に車外に出て道路わきで用を足すことは交通事故等にあう危険性も大きい等の問題があった。
【０００３】
【発明が解決しようとする課題】
このため従来にあっては寝たきりの病人、又は高齢者の場合には直接排尿用のチューブを尿道からぼうこうまで通して、採尿用の袋に直結させておく、採尿器が用いられているが、これらの処置には医療技術者が必要となり、自宅等における介護等に適用するのは難しい。
また一方自動車内における子供用の対策としてはしびん等の容器を車内に用意しておき、車内で用を足すことが行われているが、揺れる車内では容器の外に尿を漏らす虞れがあり、また採尿後も蓋が出来ないため自動車の振動によって容器から尿が車内にこぼれ出ることがある他、臭気も車内にこもってしまう等、衛生上の問題があった。
【０００４】
本発明はかかる事情に鑑みなされたものであって、その目的とするところは病人、高齢者は勿論、子供でも他人の手を借りることなく使用出来、また自動車内に置いてもコンパクトで場所をとらず、簡単で、衛生的に使用することが出来、更に使用後も車の振動等によって尿が車内にこぼれ出、また臭気が室内、車内にこもる等の不都合のない携帯型の便器を提供することにある。
【０００５】
【課題を解決するための手段】
請求項１に係る発明の携帯型の便器は、一端部に採尿口を、他端部に排尿口を備えたロート状の採尿器と、貯尿用容器の開口部を着脱可能に装着する装着口を備え、前記貯尿容器をその開口部を上方にして所定の姿勢に保持する保持台と、一端部が前記採尿器の排尿口に接続され、他端部が前記保持台の装着口に接続されるホースとを備え、前記保持台は前記装着口の外囲を囲って、前記採尿器の採尿口よりも大きい開口面積を持つ筒体を備え、この筒体内に前記採尿器の採尿口を嵌脱可能に嵌挿せしめるようにしたことを特徴とする。
【０００６】
この発明にあっては採尿器のロート状の採尿口を直接人体の尿道口を囲ってその周縁にあてがうことで、外に尿を漏らすことがなく、また用済み後には貯尿用容器を取り外して蓋をしておくことで尿及び臭気が外部に漏れることがなく、車内の衛生状態が損なわれることがない。
【０００８】
この発明にあっては保持台における筒体内に装着口を設けて、ここに採尿器の採尿口を嵌合しておくことで採尿器の内周壁に付着した尿、又は臭気を閉鎖された空間内に閉じ込めておくことが可能となり、外部に漏れる虞れがなく、車内環境を良好に維持することが可能となる。
【０００９】
請求項２に係る発明の携帯型の便器は、前記筒体は前記装着口内に臨ませて、前記装着口に装着される貯尿用容器内に連通する空気抜き孔が開口されていることを特徴とする。
【００１０】
この発明にあっては貯尿用容器の口部の装着口内には貯尿用容器内からの空気抜き孔が開口されていることから尿が貯尿用容器内に流入する際に、内部の空気が空気抜き孔から外部に流出して尿を容器内に円滑に流入させることが可能となり、尿が逆流して貯尿用容器外に吹き出す等の不都合を防止し得る。
【００１１】
請求項３に係る発明の携帯型の便器は、前記保持台は前記筒体の外周面に貯尿用容器の蓋を保持するホルダを備えたことを特徴とする。
【００１２】
この発明にあっては貯尿用容器を傾斜、又は鉛直状態に保持することが可能となり、貯尿用容器の有効利用が図れ、また使用後は蓋をすることで貯尿用容器が倒れて尿が外部に漏出する等の不都合を確実に防止することが出来る。
【００１３】
請求項４に係る発明の携帯型の便器は、前記採尿器は採尿口の外周面の全周にわたって、前記採尿口を前記筒体内に内嵌した際、前記筒体の開口部周縁に当接する鍔縁及び筒体の開口部内周面に摺接する摺接縁を備えることを特徴とする。
【００１４】
この発明にあっては採尿器はその外周に備えた鍔縁及び摺接縁を保持体における筒体の開口部周縁及び内周面に当接又は摺接するよう相互に嵌合させておくことで採尿器、ホース及び保持台がループ状をなす密閉空間を構成し、使用後に採尿器、ホース内に残留する尿及び臭気が室内、自動車内に立ち込める等の不都合を防止することが可能となる。
【００１５】
【発明の実施の形態】
図１は本発明に係る携帯型の便器の構成を示す斜視図であり、図中１は採尿器、２は貯尿用容器５を支える保持台、３は採尿器１と保持台２における前記貯尿用容器５の装着口２４とを結ぶ柔軟性及び自立性を備えたホースを示している。これら採尿器１、保持台２及びホース３はいずれも合成樹脂製であって、採尿器１の一部を除いて個々に一体成形されている。
【００１６】
図２は図１に示した採尿器１の拡大側面図、図３は同じく拡大平面図、図４は図３のIV−IV線による拡大断面図である。
採尿器１は平面視で左右方向を押し狭めた状態の縦長楕円筒形のロート状をなし、上端部に採尿口１１が、また下端部に排尿口１２が夫々形成され、採尿口１１を含む上方側の略１／３部分は楕円筒形をなし、断面積が最も大きくなっており、また下方の略２／３は楕円筒形をなしているが、下方に向かうに従って断面積が急激に縮小されており、側面視では図３に示す如く略逆三角形状をなし、更に下端部にはパイプ状の排尿口１２が外方に突き出して設けられ、ここにホース３の一端が連結されるようにしてある。
【００１７】
採尿器１の外周面には上，下方向における上方から略１／３の位置の外周の全周にわたって鍔縁１３が設けられ、また周方向の複数個所には前記鍔縁を支持する複数の補強リブ１４が夫々外方に張り出して設けられ、また上，下方向における下方の略２／３の範囲であって、外周の前側面に沿って上，下方向に延びる把手１５が設けられている。
鍔縁１３は採尿器１のロート状部分の断面形状に合わせた楕円形をなしており、その大きさは後述する図１０に示す如く筒体２２の開口部よりも若干大きくしてある。
【００１８】
また採尿器１の採尿口１１は人体の尿道口を囲ってその周縁部に密に当接せしめ得るよう前後方向の前側から略２／３の位置までは図２に示す如く鍔縁１３からの高さｈが漸減され、最も低いｈ0 の高さに達した後、後側に向けて再び高さが増大するよう成形してある。この採尿器１における採尿口１１の形状は従来知られている女性用のしびんの開口部形状に合わせてあり、女子、男子のいずれにも兼用可能としてある。
【００１９】
また採尿器１の採尿口１１の周縁は肉厚を他の部分よりも若干大きくして条状の肉厚縁部１１ａを形成してあり、ここに採尿口１１の平面形状に合わせて楕円形をなし、断面逆Ｕ字形をなす柔軟なゴム製の弾性リング部材１６がそのＵ字形の溝１６ａを開口部の肉厚縁部１１ａに着脱可能に嵌着されている。これによって人体の尿道口周縁部に採尿器１の採尿口１１を直接あてがった際にも皮膚を傷つけることが防止出来、また皮膚との密着性を高めて尿が外部に漏出するのを阻止することが可能となる。
【００２０】
更に採尿器１の下端部に設けてある排尿口１２は採尿器１の下端部から延設したパイプ部の先端に開口されており、パイプ部の外周面にはホース３の端部を外嵌した際の抜け止めのためのもどり止め段差１２ａが形成されている。
図５は図１に示す保持台２の拡大正面図、図６は同じく拡大平面図、図７は図６の VII−VII 線による拡大断面図である。
保持台２は下端側が開放され、上端側は中央部に開口する尿の流入口２１を構成するパイプ部を除いて閉鎖され、上，下方向に押し狭められた左，右方向に長い楕円形をなす筒体２２の前記上端側寄りの外周面に途中で二股に分岐された保持脚２３を一体に設けて構成されている。
【００２１】
流入口２１は閉鎖された筒体２２の上端側面の中央部から外方に向けて突設されたパイプ部の先端に開口されており、前記パイプ部は前記採尿器１における排尿口１２のパイプ部と同じ形をなし、その外周面にはホース３の端部を外嵌した際の抜け止めのためのもどり止め段差２１ａが形成されている。
また前記筒体２２の上端内周面には前記流入口２１と連通し、かつこれと同心状に貯尿用容器５の口部を螺着するために、内周面に螺条を形成した筒形の装着口２４及びこの装着口２４の内側に位置させてここに装着された貯尿用容器５内から空気を排出するための空気抜き孔２５が設けられている。
【００２２】
空気抜き孔２５の外端は筒体２２の上端外周面に開口し、また内端は装着口２４内に貯尿用容器５であるペットボトルの口部を螺合させた際に、この口部の内側に臨むようにしてあり、これによって採尿時に尿がペットボトル内に流入するのに対応して空気抜き孔２５から外部にペットボトル内の空気が流出し、尿は円滑にペットボトル内に流入し得るようにしてある。
【００２３】
なお実施の形態については保持台２におけるペットボトルの口部の装着口２４と、空気抜き孔２５とは近接した構成となっているため、尿がペットボトルに流入する際、空気抜き孔２５から外部に流出する空気に伴われて尿が外部に逆流して噴き出す虞れがあるので、空気抜き孔２５の周囲には流入する尿との間を遮断する遮蔽板を設けてもよい。
【００２４】
保持脚２３は筒体２２の上端寄りの外周面の片側半分の楕円周面にわたって一端部が一体成形され、他端部は筒体２２よりも広幅に拡幅し、途中で２分岐させて足部２３ａ，２３ａが形成されている。
これによって装着口２４に口部を装着したペットボトルと足部２３ａ，２３ａとによる三点支持により床面上にペットボトルをその口部を上方にして所定角度３０〜６０°傾斜した状態で保持するようにしてある。
【００２５】
また筒体２２における保持脚２３を固定した側と反対側の外周面にはペットボトルのキャップ５ａを保持させるためのストッパ２６ｂ付のホルダ２６が設けられている。ホルダ２６は図１、図５に示す如く断面逆Ｌ字形をなす係止片２６ａ，２６ａをキャップ５ａの略直径に合わせた所定の間隔を隔てて向かい合わせた状態で筒体２２の外周面に一体成形してあり、ペットボトルのキャップ５ａを、図１に示す如くその開口縁部に形成されている膨出縁部５ｂを係止片２６ａ，２６ａの係合溝内間にストッパ２６ｂと当接する位置まで押し込み、係入させることによってこれに着脱可能に保持し得るようにしてある。
ホルダ２６の形成位置は特にこの位置に限るものではなく、例えば筒体２２の外周の側面、又は前面、又は保持脚２３の前側面等であってもよい。
これによって貯尿用容器５の使用後、その口部を閉じるキャップ５ａを置き忘れて紛失し、蓋をすることが出来ない等の不都合を防止できる。
【００２６】
筒体２２は図５に示す如く長径方向が左，右方向に、また短径方向が上，下方向になるよう採尿器１の採尿口１１の長径、短径方向と周方向に９０°ずらせて形成され、しかも開口部面積は採尿器１の採尿口１１の面積よりも若干大きく、また鍔縁１３の長径、短径寸法よりも若干小さく形成されており、図９、図１０に示す如く採尿口１１を周方向に９０°倒した状態で前記筒体２２の開口部に嵌合させると、採尿口１１の外周に形成されている複数のリブ１４は筒体２２の開口部内周面に摺接した状態で嵌入し、また採尿器１の鍔縁１３は筒体２２の開口端周縁に当接せしめられる。
【００２７】
この結果、筒体２２の開口部に嵌入せしめられた採尿器１の採尿口１１はリブ１３ａと筒体２２の内周面との摩擦力にて相互に嵌合状態に保持され、また鍔縁１３にて筒体２２の開口部が密閉された状態となる。
なお必要があれば弾性リング部材１６が筒体２２の内周面に密着するようにすれば気密性を一層高め得る効果がある。
【００２８】
ホース３は弾力性を備えるが、押しひしゃげられ、また折れ曲がらない程度の自立性を備えたものであれば特に限定するものではなく、従来知られたものを採択すればよい。またホース３の止め具３１，３１は図８に示す如く強い弾性力を備える合成樹脂製であって、一部が開放された円環状に構成され、両開放端は内, 外夫々所要の間隔を隔てて噛合片３１ａ，３１ｂ、押え片３１ｃ，３１ｄが互いにオーバラップするよう形成してある。各噛合片３１ａ，３１ｂは互いに内，外にオーバラップし、相互の対向面には相互に噛み合う鋸歯を形成し、また押え片３１ｃ，３１ｄは噛み合った他の開口端の内側、又は外側に臨んで噛合片３１ａ，３１ａ同士を噛合状態に内，外から押圧保持するようになっている。
３１ｅ，３１ｆはペンチ等にて噛合片３１ａ，３１ｂの噛合位置（換言すれば締結強度）を調節するための挟持部である。
【００２９】
このような携帯型の便器は、販売時は採尿器１、保持台２、ホース３、ホース用の止め具３１，３１等に分解した状態で筐等に収納して取り扱われる。使用者はこれを購入し、自から組立てる。即ち採尿器１の排尿口１２であるパイプ部にホース３の一端を外嵌すると共に、ホース３に止め具３１を外嵌し、ペンチ等にて挟持部３１ｅ，３１ｆを挟むことでホース３の一端部をパイプ部に締結せしめて連結する。またホース３の他端部は保持台２の筒体２２に設けてある流入口２１を構成するパイプ部に外嵌し、同様にホース３に外嵌してある止め具３１の挟持部３１ｅ，３１ｆをペンチにて挟むことで一体的に噛合片３１ａ，３１ｂが戻り留めされた噛合状態に保持され、に締結される。
【００３０】
組立てた後に図９、図１０に示す如く採尿器１の採尿口１１を保持台２の筒体２２内に内嵌させ、ビニール袋等に収納して自動車等に搭載しておく。別に１又は複数本の空のペットボトル（キャップ５ａ付）も用意しておく。使用に際しては保持台２の筒体２２内の装着口２４に空のペットボトルの口部を螺合装着する。ペットボトルのキャップ５ａは筒体２２のホルダ２６の係止片２６ａ，２６ａの溝間にその開口部外周縁に形成されている肉厚部分５ｂを筒体２２の上端側からストッパ５ｃに突き当たる位置まで滑り込ませて係入保持させておく。ペットボトルは通常内容量５００ｍｌのものを使用するが、１０００ｍｌのものもその口部の寸法仕様が同じであれば使用可能である。
またペットボトル以外に口部の螺条の仕様が同じであればびん、その他専用の容器を用いてもよいことは勿論である。
【００３１】
使用に際しては図１に示す如く室内の床、又は自動車の車内の床に保持台２をその保持脚２３及びペットボトルにて３点支持で載置する。このときペットボトルはその口部を上方にして所定の角度で傾斜、又は鉛直状態に支持される。ペットボトルの取付け角度が可変な構成としてよいことは言うまでもない。
【００３２】
次に採尿器１の把手１５を手に持ってその採尿口１１を人体の尿道口を囲ってその周縁部にあてがって放尿すれば、尿は採尿器１からホース３を経てペットボトルに導かれここに溜められる。ペットボトル内の空気は空気抜き孔２５から外部に排出される。終了すればペットボトルを保持台２の装着口２４から取り外し、保持台２の筒体２２から外したキャップ５ａを螺合し、口部を封止しておけば尿及び臭気が外部に漏出することはない。
【００３３】
その後は図９，図１０に示す如く採尿器１の採尿口１１を保持台２の筒体２２内に内嵌させてビニール袋等の合成樹脂製の袋等に収納しておき、必要に応じて水洗し、乾燥し、収納しておけば経年的に反復使用が可能である。
【００３４】
【発明の効果】
請求項１に係る発明にあっては、採尿器のロート状の採尿口を直接人体の尿道口を囲ってその周縁にあてがうことで、採尿口が尿道口周縁に密に接して尿が外に漏れ出すことがなく、また使用後は貯尿用容器を保持台から取り外して、その口部に蓋をしておくことで尿及び臭気が外部に漏れることがなく、車内の衛生状態が損なわれることがない。
また貯尿用容器を傾斜、又は鉛直状態に保持することが可能となり、貯尿用容器の有効利用が図れる。
【００３５】
請求項１に係る発明にあっては、保持台における採尿口より大きい筒体を設けて、ここに採尿器の採尿口を嵌合しておくことで採尿器の内周壁に付着した尿、又はその臭気を閉鎖された空間内に閉じ込めておくことが可能となり、車内環境を良好に維持することが可能となる。
【００３６】
請求項２に係る発明にあっては、貯尿用容器の口部の装着口内には貯尿用容器内からの空気抜き孔が開口されていることから貯尿用容器内の空気を外部に排出して尿を容器内に円滑に流入させることが可能となり、尿が逆流して貯尿用容器外に吹き出す等の不都合を防止し得る。
【００３７】
請求項３に係る発明にあっては、蓋によって貯尿用容器を密閉しておくことが出来て、尿及び臭気を閉じ込め得、これらが車内に漏出し、またこもる等の不都合を確実に防止することが出来る。
【００３８】
請求項４に係る発明にあっては、採尿器はその外周に備えた鍔縁及び摺接縁を保持体における筒体の開口部周縁及び内周面に当接するよう相互に嵌合させておくことで採尿器、ホース及び保持体をループ状をなす密閉空間を構成し、使用後に採尿器、ホース内に残留する尿及び臭気が自動車内に立ち込める等の不都合を防止することが可能となる。
【図面の簡単な説明】
【図１】本発明に係る携帯型の便器の構成を示す斜視図である。
【図２】採尿器の拡大側面図である。
【図３】採尿器の拡大平面図である。
【図４】図３のIV−IV線による拡大断面図である。
【図５】保持台の拡大正面図である。
【図６】保持台の拡大平面図である。
【図７】図６に示す保持台の VII−VII による拡大断面図である。
【図８】ホースの接続に用いる止め具の斜視図である。
【図９】本発明の実施の形態を示す収納時の状態の斜視図である。
【図１０】図９に示す収納時の採尿器と保持台との組合せ状態を示す拡大断面図である。
【符号の説明】
１  採尿器
２  保持台
３  ホース
５  貯尿用容器
１１  採尿口
１２  排尿口
１３  鍔縁
１４  補強リブ
１５  把手
１６  弾性リング部材
２１  流入口
２２  筒体
２３  保持脚
２４  装着口
２５  空気抜き孔
２６  ホルダ
３１  止め具
【図１】
0004435916.tif 000002
【図２】
0004435916.tif 000003
【図３】
0004435916.tif 000004
【図４】
0004435916.tif 000005
【図５】
0004435916.tif 000006
【図６】
0004435916.tif 000007
【図７】
0004435916.tif 000008
【図８】
0004435916.tif 000009
【図９】
0004435916.tif 000010
【図１０】
0004435916.tif 000011